(57)【特許請求の範囲】
【請求項１】
子供用座席本体と、
前記子供用座席本体に前後方向に摺動可能に取り付けられて前記子供用座席本体から後方へ突出して延びる左右１対のバーと、
前記バーの後端に設けられて相手材のアンカーを受け入れる切欠き、および前記切欠きに設けられて前記切欠きを閉じる閉位置と前記切欠きを開く開位置とに選択的にされるアンカーロック爪を有するＩＳＯＦＩＸ用連結具と、
前記子供用座席本体に変位可能に設けられる部材であって、前記バーから退動して前記バーの摺動を許容し、あるいは前記子供用座席本体から所定の突出長で後方へ引き出される前記バーの被係合部に係合して前記バーの摺動を禁止する第１ロック部材と、
前記バーに沿って変位可能に設けられて後端が前記アンカーロック爪と連係する部材であって、前記第１ロック部材が入り込む切欠き部分を有し、前記閉位置にされる前記アンカーロック爪に連動して前記切欠き部分が前記被係合部から遠ざかる位置に変位すると前記第１ロック部材が前記被係合部に係合することを禁止し、前記切り欠き部分が前記被係合部と一致する位置に変位すると前記第１ロック部材が前記切欠き部分に入り込み前記被係合部に係合することを許容する第１ロック解除部材とを備える、ＩＳＯＦＩＸチャイルドシート。
【請求項２】
前記バーは該バーの長手方向に間隔を空けて複数設けられる受け入れ孔を含み、
前記子供用座席本体に変位可能に設けられて前記複数の受け入れ孔のいずれかに選択的に係合する可動爪、および前記可動爪に係合して該可動爪を前記受け入れ孔から離脱させる操作部材を有し、前記子供用座席本体から後方へ突出して延びる前記バーの突出長を調整する突出長調整機構をさらに備え、
前記受け入れ孔の前後方向寸法は前記可動爪の前後方向寸法よりも僅かに大きく、
前記可動爪または前記受け入れ孔は、両者の係合により前記バーの後方への摺動を禁止し、前記バーが前方へ摺動することによって両者の係合が解除されるようテーパ状に形成される、請求項１に記載のＩＳＯＦＩＸチャイルドシート。
【請求項３】
前記複数の受け入れ孔は、隣り合う受け入れ孔同士が所定間隔となるよう等間隔で配置され、
前記可動爪は前記子供用座席本体に少なくとも２個設けられ、
前記複数の可動爪は、前記受け入れ孔の前記所定間隔とは異なる間隔で、前記バーの長手方向に離隔して配置される、請求項２に記載のＩＳＯＦＩＸチャイルドシート。
【発明の詳細な説明】
【技術分野】
【０００１】
本発明は、乗用車等に使用されるＩＳＯＦＩＸ規格のチャイルドシートに関する。
【背景技術】
【０００２】
乗用車に備え付けの大人用座席に取り付けて使用するチャイルドシートは、適正な手段で大人用座席に固定される。かかる固定手段として、乗用車に備え付けのシートベルトを用いる他、ＩＳＯＦＩＸ規格が知られている。ＩＳＯＦＩＸ規格を開示する文献として例えば特許第４５８４４８１号公報（特許文献１）および特許第４５８４４８２号公報（特許文献２）がある。特許文献１，２記載のチャイルドシートは、座席本体に相当するシート体と、シート体の底部に着脱可能に取り付けられるベース体を具備する。ベース体は、シート体に固定されるベース本体と、ベース本体に摺動可能に取り付けられて、ベース本体に収納ないし引き出し可能なアタッチメントとを含む。そしてアタッチメントの後端がＩＳＯＦＩＸ規格に適合して、大人用座席に備え付けの１対のアンカーに着脱可能に結合する。
【０００３】
ベース体には第１規制装置と称する機構が設けられる。第１規制装置は、アタッチメントがチャイルドシートの後方へ最大限引き出された状態で、アタッチメントの前端と係合して、アタッチメントが前方へ摺動することを規制する。これによりアタッチメントは最大引き出し位置で保持されて、ベース本体の中に収納されない。
【０００４】
特許文献１，２記載のチャイルドシートを乗用車に備え付けの大人用座席に取り付ける際には、シート体とベース体を予め分離しておき、ベース体からアタッチメントを後方へ最大限引き出しておき、アタッチメントの後端を大人用座席のアンカーに差し込み固定する。次にベース体の上にシート体を載置し、シート体の連結具をベース体の連結具に係合させて両者を固定する。そうすると、ベース体の連結具に連動して第１規制装置による規制が解除され、アタッチメントはベース本体の中に収納可能にされる。
【先行技術文献】
【特許文献】
【０００５】
【特許文献１】特許第４５８４４８１号公報
【特許文献２】特許第４５８４４８２号公報
【発明の概要】
【発明が解決しようとする課題】
【０００６】
しかし、上記従来のようなチャイルドシートにあっては、さらに改善すべき点があることを本発明者は見いだした。つまりチャイルドシートには、シート体とベース体が分離しない仕様もあり、チャイルドシートの大部分を構成する子供用座席自体を相手材のアンカーに直接取り付けたり、あるいは取り外したりしたいというニーズがある。
【０００７】
また、特許文献に記載の第１規制手段を、連結具に連動させる仕様に代えて、手動にするということも考えられる。しかしながら手動にすると使用者がその都度操作しなければならず、煩雑になる。
【０００８】
本発明は、上述の実情に鑑み、使用者の操作頻度を少なくすることができるＩＳＯＦＩＸ規格のチャイルドシートを提供することを目的とする。
【課題を解決するための手段】
【０００９】
この目的のため本発明によるＩＳＯＦＩＸチャイルドシートは、子供用座席本体と、子供用座席本体に前後方向に摺動可能に取り付けられて子供用座席本体から後方へ突出して延びる左右１対のバーと、バーの後端に設けられて相手材のアンカーを受け入れる切欠き、および切欠きに設けられて切欠きを閉じる閉位置と切欠きを開く開位置とに選択的にされるアンカーロック爪を有するＩＳＯＦＩＸ用連結具と、子供用座席本体に変位可能に設けられる部材であって、バーから退動してバーの摺動を許容し、あるいは子供用座席本体から所定の突出長で後方へ引き出されるバーの被係合部に係合してバーの摺動を禁止する第１ロック部材と、バーに沿って変位可能に設けられて後端がアンカーロック爪と連係する部材であって、第１ロック部材が入り込む切欠き部分を有し、閉位置にされるアンカーロック爪に連動して切欠き部分が被係合部から遠ざかる位置に変位すると第１ロック部材が被係合部に係合することを禁止し、切り欠き部分が被係合部と一致する位置に変位すると第１ロック部材が切欠き部分に入り込み被係合部に係合することを許容する第１ロック解除部材とを備える。
【００１０】
かかる本発明によれば、第１ロック部材がＩＳＯＦＩＸ用連結具の動きに連動し、アンカーロック爪が閉位置にされることにより第１ロック部材とバーの係合が自動的に解除される。したがって使用者は、特許文献１記載のようにシート体をベース体に連結固定するという余分な操作をする必要がなく、ＩＳＯＦＩＸチャイルドシートのバーを相手材のアンカーに連結固定すると即座にＩＳＯＦＩＸチャイルドシートの子供用座席本体を後方へ押し込み適正な前後方向位置にセットすることができる。したがって使用者の操作頻度を少なくすることができる。
【００１１】
なおアンカーロック爪に連係する部材とは、例えばピンを介してアンカーロック爪と相対回動可能に連結される部材や、あるいはロッドを介してアンカーロック爪に相対変位可能に連結される部材をいい、あるいは互いに連結されていなくてもカム等の作用によって相対位置を変えながら連動するよう関連づけられる部材を含むと理解されたい。また所定の突出長は特に限定されない。好ましくは最大突出長である。
【００１２】
説明を特許文献１に戻すと、特許文献１のアタッチメントは、棒状のアタッチメントフレームを含み、アタッチメントフレームの内部には２個ないし３個のストッパが前後方向に短い間隔を空けて配置される。これに対しアタッチメントを前後方向にスライド可能に保持する側部フレームには、前後方向に長く延びる貫通孔であるフレーム角孔が複数形成される。複数のフレーム角孔は前後方向に１列に配列され、隣り合うフレーム角孔の間隔が特に短くされる。そしていずれかのストッパが必ずフレーム角孔に係合するようにして、アタッチメントのスライド移動を常時規制するというものである。
【００１３】
しかし、上記従来のようなチャイルドシートにあっては、さらに改善すべき点があることを本発明者は見いだした。つまりフレーム角孔が長く延びるため、ストッパがフレーム角孔に係合すると雖も両者の前後方向隙間が大きくなってしまい、アタッチメントが若干摺動する。そうするとシート体の前後方向のガタツキの原因となってしまう。
【００１４】
またフレーム角孔が長く延びるとともに隣り合うフレーム角孔の間隔が特に短いため、側部フレームの右側部分と左側部分を結合する箇所が小さくなってしまい、側部フレームの強度が不足する虞がある。
【００１５】
さらに棒状のアタッチメントフレームの内部構造が複雑となってしまい、コスト上不利である。
【００１６】
かかる問題点を改善すべく本発明の一実施形態として、バーはバーの長手方向に間隔を空けて複数設けられる受け入れ孔を含み、子供用座席本体に変位可能に設けられて複数の受け入れ孔のいずれかに選択的に係合する可動爪、および可動爪に係合して該可動爪を受け入れ孔から離脱させる操作部材を有し、子供用座席本体から後方へ突出して延びるバーの突出長を調整する突出長調整機構をさらに備える。そして受け入れ孔の前後方向寸法は可動爪の前後方向寸法よりも僅かに大きく、可動爪または受け入れ孔は、両者の係合によりバーの後方への摺動を禁止し、バーが前方へ摺動することによって両者の係合が解除されるようテーパ状に形成される。
【００１７】
かかる実施形態によれば、受け入れ孔の前後方向寸法を特許文献１のように長くする必要がないことから、互いに係合する可動爪と受け入れ孔において前後方向隙間が殆ど無くなって、子供用座席本体の前後方向のガタツキが解消される。
【００１８】
また本発明の実施形態によれば受け入れ孔の前後方向寸法を特許文献１のように長くする必要がないことから、バーに受け入れ孔を複数配列して設けてもバーの強度が不足しない。また可動爪をバーではなく子供用座席本体に設けることから、バーが複雑な構造とならず、コスト上有利である。
【００１９】
テーパ状の可動爪またはテーパ状の受け入れ孔とは、バーの後方への摺動を禁止し前方へ摺動を規制するものであれば特に限定されず、様々な態様が可能である。例えば可動爪は、バーの摺動方向に対して垂直な面であって子供用座席本体の前方へ指向する前方垂直面、およびバーの摺動方向に対して傾斜する面であって子供用座席本体の後方へ指向する後方斜面を有する。そして可動爪が差し込まれる受け入れ孔の前方縁が可動爪の前方垂直面に当接することによりバーの後方への摺動を規制し、可動爪が差し込まれる受け入れ孔の後方縁が可動爪の後方斜面を押し出すことにより可動爪は受け入れ孔から退出してバーの前方への摺動を許容するものであってもよい。あるいは、受け入れ孔の後方縁をテーパに形成して、かかるテーパ状後方縁が可動爪の後方縁に当接して可動爪を押し出すことにより可動爪は受け入れ孔から退出してバーの前方への摺動を許容するものであってもよい。
【００２０】
可動爪は１個であってもよいが、本発明の好ましい実施形態として複数の受け入れ孔は、隣り合う受け入れ孔同士が所定間隔となるよう等間隔で配置され、可動爪は子供用座席本体に少なくとも２個設けられ、複数の可動爪は受け入れ孔の所定間隔とは異なる間隔でバーの長手方向に離隔して配置される。かかる実施形態によれば、バーの突出長をきめ細かく調整可能になる。したがって使い勝手が向上する。
【発明の効果】
【００２１】
このように本発明によれば、ＩＳＯＦＩＸ規格のチャイルドシートを、相手材のアンカーに容易に取付固定することができ、使用者の操作負担が軽減する。
【図面の簡単な説明】
【００２２】
【図１】本発明の一実施形態になるチャイルドシートを示す側面図であり、バーを収納した状態を表す。
【図２】同実施形態を示す側面図であり、図１の状態からバーを所定の突出長まで引き出した状態を表す。
【図３】同実施形態を示す側面図であり、バーをアンカーに連結固定した状態を表す。
【図４】同実施形態を示す側面図であり、アンカーに連結固定したバーを収納した状態を表す。
【図５】バーおよび第１ロック部材を取り出し上方からみた断面図であり、バーを収納した状態を表す。
【図６】バーおよび第１ロック部材を取り出し上方からみた断面図であり、第１ロック部材が所定の突出長まで引き出されたバーに係合した状態を表す。
【図７】バーおよび第１ロック部材を取り出し上方からみた断面図であり、第１ロック部材と所定の突出長まで引き出されたバーの係合を解除した状態を表す。
【図８】バーおよび第１ロック部材を取り出し上方からみた断面図であり、アンカーに連結固定したバーをベース部に押し込んだ状態を表す。
【図９】バーおよびブロックを取り出して示す平面図であり、バーの収納位置を表す。
【図１０】図９に表されるバーおよびブロックを示す側面図である。
【図１１】図９に表されるバーおよびブロックを示す縦断面図である。
【図１２】図９に表されるブロックを取り出して示す横断面図である。
【図１３】図９に示す操作部材を引き上げた状態を示す側面図である。
【図１４】図１３に表されるバーおよびブロックを示す縦断面図であり、操作部材を引き上げた状態を表す。
【図１５】図１３に表されるブロックを取り出して示す横断面図であり、操作部材を引き上げた状態を表す。
【図１６】バーおよびブロックを取り出して示す縦断面図であり、バーを最大突出長まで引き出した状態を表す。
【図１７】図１６に示すバーを僅かに押し込んだ状態を示す縦断面図である。
【図１８】図１７に示すバーを僅かに押し込んだ状態を示す縦断面図である。
【図１９】バー後端部の連結具を拡大して示す断面図であり、アンカーロック爪の開位置を表す。
【図２０】バー後端部の連結具を拡大して示す断面図であり、アンカーロック爪の閉位置を表す。
【発明を実施するための形態】
【００２３】
以下、本発明の実施の形態を、図面に基づき詳細に説明する。図１〜４は、本発明の一実施形態になるＩＳＯＦＩＸ規格のチャイルドシートを左側からみた側面図である。チャイルドシート１０は図１〜図４の順序に示す手順で、大人用座席に取付固定される。チャイルドシート１０は、子供用座席本体１１と、左右１対のバー２１を備える。子供用座席本体１１は、幼児の体格に合わせた椅子形状のシート部１２、およびシート部１２を下方から支持するベース部１３を含む。
【００２４】
ベース部１３の底部には、左右両側にバー２１がそれぞれ取り付けられる。バー２１はベース部１３の中に収納されて外部から見えないが、発明の理解を容易にするため図１〜図４ではバー２１を実線で示す。各バー２１は、ベース部１３に固定される左右１対のブロック４１に抱えられるように保持されて、チャイルドシート１０の前後方向（以下、単に前後方向ともいう）に摺動可能である。後方へ最も短く突出する収納状態で図１に示すようにバー２１の中央領域２２がベース部１３に収納され、バー２１の後端部２３がベース部１３の背面１３ｂから突出する。
【００２５】
バー２１には後述する可動爪が係合している。可動爪はラチェット爪のような動きをして、バー２１の長手方向に間隔を空けて形成される受け入れ孔に次々と係合し、バー２１が後方へ繰り出されることを規制されるが、前方へ引き込まれることを許容する。ただしチャイルドシート１０の使用者が操作部材４２を上方へ引き上げる間、後述する可動爪がバー２１から退動し、バー２１は前後双方の摺動を許容される。
【００２６】
図２はバー２１を収納状態（図１）から所定の突出長まで後方へ最も引き出した状態を表す。バー２１の中央領域２２はベース部１３から後方へ現れる。バー２１が使用者の手によって図２に示す所定の突出長となるように引き出されると、後述する第１ロック部材がバー２１に係合し、バー２１は摺動を禁止される。このため使用者が図２に示す状態で操作部材４２を上方へ引き上げても、バー２１は摺動できない。
【００２７】
バー２１の後端部２３は、ＩＳＯＦＩＸ規格の連結具を構成する。すなわち後端部２３は、バー２１後端から前方に向かって切れ込んだ切欠き２４と、切欠き２４に内設されるアンカーロック爪２５とを有する。子供用座席本体１１は、乗用車等に備え付けの大人用座席１０２の座面１０３に載せられる。このときバー２１は座面１０３に沿って前後方向に延びる。使用者が座面１０３上でチャイルドシート１０を後方へ滑らして、後端部２３をアンカー１０１に近づけ、切欠き２４にアンカー１０１を差し込むと、アンカーロック爪２５が図１および図２に示す開位置から起立して、図３および図４に示す閉位置になり、バー２１はアンカー１０１に連結固定する。
【００２８】
ここで付言するとバー２１は第１ロック部材によって摺動を禁止される。これにより使用者が図２に示すチャイルドシート１０を後方へ押しても、使用者の力が確実にバー２１の後端部２３に付与され、後端部２３をアンカー１０１に確実にロックせしめる。
【００２９】
図１および図２に示す後端部２３を拡大して図１９の紙面右側に縦断面で示し、図３および図４に示す後端部２３を拡大して図２０の紙面右側に縦断面で示す。ここでいう縦断面とはチャイルドシート１０の幅方向に直角な断面をいう。なお発明の理解を容易にするため、バー２１の前端領域を図１９および図２０の紙面左側に示す。
【００３０】
連結具になる後端部２３の内部には、アンカーロック爪２５が内設される。アンカーロック爪２５は、チャイルドシート１０の幅方向（以下、単に幅方向ともいう）に延びる枢軸２６で軸支され、枢軸２６回りに回動可能である。枢軸２６は切欠き２４よりも上方かつ前方に配置される。またアンカーロック爪２５は、枢軸２６から径方向に突出する後方当接部２５ｔと、後方当接部２５ｔよりもさらに後方に配置されるフック２５ｆと、これら後方当接部２５ｔおよびフック２５ｆ間に形成される切欠き２６ｋとを含む。さらにアンカーロック爪２５は、枢軸２６から前方に突出するアーム部２５ａを含む。
【００３１】
枢軸２６にはねじりばね２７が取り付けられる。ねじりばね２７は、アンカーロック爪２５を図１９で示す開位置に付勢する。アンカーロック爪２５の開位置で、後方当接部２５ｔは切欠き２４に露出し、フック２５ｆは後端部２３の内部に収納されて切欠き２４に露出しない。またアーム部２５ａの先端は下降する。アンカー１０１が後端部２３から分離された状態で、図１９に示すようにアンカーロック爪２５は開位置にされる。
【００３２】
切欠き２４にアンカー１０１が進入し、アンカー１０１が後方当接部２５ｔに当接して後方当接部２５ｔを切欠き２４から前方へ押し出すことにより、アンカーロック爪２５が回動してフック２５ｆが図２０に示すように切欠き２４に露出する。そうするとアンカー１０１はアンカーロック爪２５の切欠き２６ｋに入り込み、切欠き２４内でアンカーロック爪２５に保持される。またアーム部２５ａの先端が上昇し、アーム部２５ａの下方に第１ロック解除部材３３が付勢されて前方から進入し、アンカーロック爪２５は閉位置Ｌに保持される。このようにアンカーロック爪２５は、図１９に示す開位置Ｆと、図２０に示す閉位置Ｌに選択的にされる。なおバー２１には、第１ロック解除部材３３を後方へ付勢するばね（図示せず）が縮設される。
【００３３】
説明を図３に戻す。図３に示すようにバー２１の後端部２３がアンカー１０１に連結固定すると、後述する第１ロック部材がアンカーロック爪２５の回動に連動してバー２１から退動し、バー２１は摺動を許容される。つまり使用者が後端部２３をアンカー１０１に差し込んで両者を連結固定すると、第１ロック部材は自動的に退動し、バー２１はベース部１３に収納され得る。
【００３４】
次に使用者が座面１０３上でチャイルドシート１０を後方へ摺動させ、図４に示すようにベース部１３の背面１３ｂを大人用座席１０２の背凭れ面１０４に密着させると、バー２１の大部分はベース部１３に押し込まれ、バー２１の後方への突出長が短くなる。これによりチャイルドシート１０は、大人用座席１０２において好適な前後方向位置に取付固定される。バー２１の突出長（引き出し長ともいう）は、後述する可動爪および受け入れ孔によってきめ細かく調整可能である。
【００３５】
なおチャイルドシート１０を大人用座席１０２から分離するには、使用者がベース部１３あるいはバー２１に設けられる図示しない操作子を操作して、図２０に示す位置Ｂにされた第１ロック解除部材３３を、図１９に示す位置Ｆまで前方に変位させるとよい。そうするとアンカーロック爪２５がねじりばね２７によって開位置Ｆに付勢されるので、アンカー１０１を切欠き２４，２６ｋから取り出すことができる。以上がチャイルドシート１０を大人用座席１０２に取付固定ないし取り外す手順の概要である。
【００３６】
次に、所定の突出長でバー２１を摺動不能にロックする第１ロック部材について詳細に説明する。
【００３７】
図５〜図８は、左側のバー２１および第１ロック部材３１を取り出して示す断面図であり、チャイルドシート１０の上方からみた状態を示す、図５は前述の図１に対応し、図６は前述の図２に対応し、図７は前述の図３に対応し、図８は前述の図４に対応する。なお図示はしなかったが、ベース部１３の右側にもバーおよび第１ロック部材が左右対称に設けられる。
【００３８】
第１ロック部材３１は、ケース４３の内部で、ベース部１３の幅方向に摺動可能に保持される。ケース４３は、ブロック４１に附設されて、ブロック４１からチャイルドシート１０の幅方向内側に突出する。第１ロック部材３１はバー２１よりもベース部１３の幅方向内側に配置され、第１ロック部材３１の外側端３１ｓがバー２１へ指向し、内側端３１ｔがブロック４１の外方へ突出する。また第１ロック部材３１は前後方向に張り出す突起３１ｆを有し、突起３１ｆとブロック４１の内側壁部との間にはばね３２が縮設される。ばね３２は第１ロック部材３１をバー２１へ付勢する。
【００３９】
バー２１は、断面略Ｕの字状のバー本体に、帯板状のバー蓋体を被せたものであり、断面ロの字にされて内部空間を構成する。バー２１の内部空間には第１ロック解除部材３３が収容されている。第１ロック解除部材３３は長尺であり、バー２１に沿って設けられる。第１ロック解除部材３３の後端は、枢軸を介してアンカーロック爪２５と連結する。
【００４０】
バー２１がベース部１３から最も引き出されて所定の突出長にされる場合を除く通常は、図５に示すように第１ロック部材３１の外側端３１ｓがバー２１の側面に当接するが、外側端３１ｓはバー２１に係合しない（非係合位置）。このためバー２１は第１ロック部材３１によって位置を固定されず、摺動を許容される。
【００４１】
図６に示すようにバー２１が、所定の突出長、本実施形態では最大突出長、まで摺動すると、第１ロック部材３１は前方領域の幅方向内側側面に形成される貫通孔２８（被係合部）と対面する。すると第１ロック部材３１はばね３２に付勢されてベース部１３の幅方向外側へ移動し、外側端３１ｓが貫通孔２８を貫通する。これにより第１ロック部材３１はバー２１に係合し（係合位置）、バー２１は図６に×印で示すように摺動不能となって最大突出長に固定される。さらに第１ロック部材３１の外側端３１ｓは、第１ロック解除部材３３の幅方向内側側面に形成される切欠き３４に入り込む。切欠き３４の側縁はＶ字状に傾斜する。
【００４２】
図７に示すようにバー２１の後端部２３がアンカー１０１にロックされると、アンカーロック爪２５が開位置（図２、図１９）から閉位置（図３、図２０）へ回動起立する。このときアンカーロック爪２５に連動して第１ロック解除部材３３は図７に小矢印に示すように後方へ変位する。すると先細テーパ形状に形成される外側端３１ｓが、切欠き３４の傾斜した側縁に押し退けられ、切欠き３４から退出し、貫通孔２８から殆ど退出する。これによりバー２１の摺動規制が解除される。図７に大矢印で示すようにバー２１の摺動が許容されると、次に図８に示すようにバー２１はベース部１３の中に押し込まれ、図１および図５に示す収納位置にされるか、あるいは中央領域２２の大部分がベース部１３に収納される。
【００４３】
本実施形態のチャイルドシート１０によれば、子供用座席本体１１と、子供用座席本体１１に前後方向に摺動可能に取り付けられて子供用座席本体１１から後方へ突出して延びる左右１対のバー２１と、バー２１の後端に設けられて相手材のアンカー１０１を受け入れる切欠き２４、および切欠き２４に設けられて切欠き２４を閉じる閉位置Ｌ（図２０）と切欠き２４を開く開位置Ｆ（図１９）とに選択的にされるアンカーロック爪２５を有するＩＳＯＦＩＸ用連結具と、子供用座席本体１１に変位可能に設けられて子供用座席本体１１から図２および図６に示す所定の突出長で後方へ引き出されるバー２１の貫通孔２８（被係合部）に係合してバー２１の摺動を禁止する第１ロック部材３１と、バー２１に沿って設けられて後端がアンカーロック爪２５と連係し前端側領域が貫通孔２８（被係合部）と対面する部材であって、閉位置にされるアンカーロック爪２５に連動して第１ロック部材３１を貫通孔２８（被係合部）から押し退け、開位置にされるアンカーロック爪２５に連動して貫通孔２８（被係合部）から遠ざかり第１ロック部材３１と貫通孔２８（被係合部）の係合を許容する第１ロック解除部材３３とを備える。
【００４４】
したがって第１ロック部材３１がＩＳＯＦＩＸ用連結具（後端部２３）の動きに連動し、アンカーロック爪２５が閉位置にされることにより第１ロック部材３１とバー２１の係合が自動的に解除される。したがって使用者は、ＩＳＯＦＩＸチャイルドシート１０のバー２１を相手材のアンカー１０１に連結固定すると即座にＩＳＯＦＩＸチャイルドシート１０の子供用座席本体１１を後方へ押し込み適正な前後方向位置にセットすることができる。したがって使用者の操作頻度を少なくすることができる。
【００４５】
次にバー２１の引き出しを禁止し、バー２１の押し込みを許容する可動爪について説明する。図９は、左側のバー２１およびブロック４１を取り出して示す平面図であり、バー２１が収納位置にされる。図１０は、図９に対応する側面図であり、チャイルドシート１０の左方からみた状態を表す。図１１は、図９に対応する縦断面図であり、チャイルドシート１０の左方からみた状態を表す。図１２は、図９に対応する横断面図であり、ブロック４１を取り出し後方からみた状態を表す。図９〜図１２は、図１および図５と同じ状態を表す。図９に示すようにバー２１の上側表面には複数の受け入れ孔２９が、バー２１の長手方向に所定の間隔Ｔ１を空けて複数設けられる。
【００４６】
受け入れ孔２９は、例えば矩形であり、後述する可動爪３６ｍ，３６ｎを受け入れる。したがって受け入れ孔２９の前後方向寸法は、可動爪３６ｍ，３６ｎの前後方向寸法よりも僅かに大きければ充分である。受け入れ孔２９の前後方向寸法は、所定の間隔Ｔ１よりも小さい。このためバー２１において、複数の受け入れ孔２９によって幅方向に２分される領域よりも、複数の間隔Ｔ１によって幅方向に連結される領域が優勢となる。そしてバー２１の強度を確保することができる。
【００４７】
図１１に示すように直線状に延びるバー２１は、ブロック４１の下部に形成されて前後方向に貫通するガイド４１ｇに通されて、前後方向に摺動可能である。ブロック４１の幅方向外側には、後述する爪部材３６を上方へ引き起こす操作部材４２が取り付けられる。操作部材４２は通常、図１０〜図１２に示すように下方位置にされる。爪部材３６、操作部材４２、および複数の受け入れ孔２９は、バー２１の突出長を調整する突出長調整機構を構成する。
【００４８】
ブロック４１の内部には、図１１に示すように上下方向に延びる複数の室４１ｒが、前後方向に間隔を空けて平行に形成される。各室４１ｒは爪部材３６を収容し、爪部材３６は室４１ｒの壁面に沿って上下方向に変位可能である。各室４１ｒの上端にはばね３７が縮設される。ばね３７は爪部材３６を下方へ不正する。各爪部材３６は下端に直角三角形のように先細のテーパ状に形成された可動爪を有する。具体的には、可動爪の前面が上下方向に垂直な前方垂直面３６ｉとされ、可動爪の後面がテーパ状の後方斜面３６ｊとされる。前方垂直面３６ｉはバー２１の摺動方向と直交する。これに対し後方斜面３６ｊはバー２１の摺動方向を斜めに横切る。
【００４９】
爪部材３６には上下方向に延びる長孔３６ｈが形成される。そしてチャイルドシート１０の幅方向に延びるピン４２ｐが各長孔３６ｈを貫通する。ピン４２ｐの幅方向外側端は図１２に示すように操作部材４２と結合する。爪部材３６が上下に変位しても、長孔３６ｈはピン４２ｐと干渉しない。つまり爪部材３６は、長孔３６ｈの上下方向長さ分、上下方向に変位可能である。
【００５０】
複数の可動爪を区別する場合、前方の可動爪を符号３６ｍとし、後方の可動爪を符号３６ｎと称する。可動爪３６ｍ，３６ｎは所定の間隔Ｔ２を空けて前後方向に配置される。かかる間隔Ｔ２は受け入れ孔２９の間隔Ｔ１とは異なる。本実施形態では、２個の可動爪３６ｍ，３６ｎの間隔Ｔ２が、受け入れ孔２９の間隔Ｔ１よりも１倍を超え、２倍未満の範囲で大きくされる。
【００５１】
図１１に示すバー２１の収納位置で、一方の可動爪３６ｍが一個の受け入れ孔２９に入り込んで係合する。これに対し他方の可動爪３６ｎはいずれの受け入れ孔２９とも係合しない。
【００５２】
図１３は、図９に示す操作部材を上方に引き上げた状態を示す側面図であり、チャイルドシート１０の左方からみた状態を表す。図１４は、図１３に対応する縦断面図であり、チャイルドシート１０の左方からみた状態を表す。図１５は、図１３に対応する横断面図であり、ブロック４１を取り出し後方からみた状態を表す。使用者が図１３に示すように操作部材４２を上方へ引き上げると、すべてのピン４２ｐが図１４および図１５に示すように長孔３６ｈの上端に当接して、ばね３７の付勢力に抗し爪部材３６を上方へ引き上げる。そうするとすべての可動爪３６ｍ，３６ｎは受け入れ孔２９から退出し、バー２１は摺動を許容される。
【００５３】
図１６はバー２１およびブロック４１を取り出して示す縦断面図であり、バーを最も引き出した状態を表す。操作者が一方の手で操作部材４２を引き上げながら他方の手でバー２１を後方へ引き出し、図１６に示す最大突出長で操作部材４２から手を放すと、一方の可動爪３６ｍが１個の受け入れ孔２９と係合するとともに他方の可動爪３６ｍがいずれの受け入れ孔２９とも係合しない。
【００５４】
次に使用者がバー２１を図１６に示す突出長から僅かに前方へ押し込むと、可動爪３６ｍと係合する受け入れ孔２９の後方縁２９ｒが、可動爪３６ｍの後方斜面３６ｊを押し退け、可動爪３６ｍは受け入れ孔２９から上方へ退出し、図１７に示すように非係合にされる。なお可動爪３６ｎは図１６に示す状態から引き続き非係合のままである。
【００５５】
次に使用者がバー２１を図１７に示す突出長から僅かに前方へ押し込むと、可動爪３６ｎが受け入れ孔２９と対面する。そして可動爪３６ｎはばね３７によって下方に付勢されて当該受け入れ孔２９に進入し、図１８に示すように係合する。なお可動爪３６ｍは図１７に示す状態から引き続き非係合のままである。
【００５６】
次に使用者がバー２１を図１８に示す突出長から前方へ押し込むと、可動爪３６ｍ，３６ｎは互い違いに上下変位して図１６〜図１８に示す状態を繰り返す。本実施形態の突出長調整機構はテーパ状の可動爪３６ｍ，３６ｎを有し、可動爪３６ｍ，３６ｎはラチェット爪のように機能することから、バー２１は前方への摺動のみを許容される。使用者はバー２１を前方のベース部１３に押し込んでバー２１の突出長を短くする場合において操作部材４２を引き上げる必要がない。したがってアンカー１０１と連結するバー２１をベース部１３に押し込みその突出長を短くする場合、使用者は操作部材４２およびバー２１から手を離し、子供用座席本体１１を後方へ押すのみでよい。あるいはバー２１の突出長を単に短くしたい場合も、使用者は操作部材４２から手を離し、片方の手でバー２１を前方へ押し込むとよい。
【００５７】
反対にバー２１を引き出して突出長を長くする場合において、バー２１は可動爪３６ｍ，３６ｎによって後方への摺動を禁止されるため、使用者は操作部材４２を引き上げる必要がある。例えば図１１に示す突出長から図１６に示す突出長まで伸ばす場合、使用者は一方の手で操作部材４２を引き上げ、他方の手でバー２１を引き出す必要がある。なお可動爪３６ｍ，３６ｎのラチェット機能は、後端部２３とアンカー１０１との連結・非連結に無関係に発揮される。
【００５８】
本実施形態によればバー２１は該バー２１の長手方向に間隔を空けて複数設けられる受け入れ孔２９を含み、子供用座席本体１１に変位可能に設けられて複数の受け入れ孔２９のいずれかに選択的に係合する可動爪３６ｍ，３６ｎ、および可動爪３６ｍ，３６ｎに係合して該可動爪３６ｍ，３６ｎを受け入れ孔２９から離脱させる操作部材４２を有し、子供用座席本体１１から後方へ突出して延びるバー２１の突出長を調整する突出長調整機構をさらに備え、受け入れ孔２９の前後方向寸法は可動爪３６ｍ，３６ｎの前後方向寸法よりも僅かに大きく、可動爪３６ｍ，３６ｎまたは受け入れ孔２９は、両者の係合によりバー２１の後方への摺動を禁止し、バー２１が前方へ摺動することによって両者の係合が解除されるよう前方垂直面３６ｉおよび後方斜面３６ｊ（テーパ状）に形成される。
【００５９】
したがって互いに係合する可動爪３６ｍ，３６ｎと受け入れ孔２９において前後方向隙間が殆ど無くなって、子供用座席本体１１の前後方向のガタツキが解消される。また受け入れ孔２９の前後方向寸法が最低限必要なものとなり、所定の間隔Ｔ１を充分に確保し得る。よってバー２１に受け入れ孔２９を複数配列して設けてもバー２１の強度が不足しない。
【００６０】
この点につき補足説明すると図１１等に示すように、受け入れ孔２９の前後方向寸法（前方縁２９ｆから後方縁２９ｒまでの距離）は、可動爪３６ｍ，３６ｎよりも僅かに大きければ足りるので、間隔Ｔ１を受け入れ孔２９の前後方向寸法よりも大きくすることができる。したがってバー２１の上側表面において、受け入れ孔２９による分断長（受け入れ孔２９の前後方向寸法）を少なくして、バー２１の強度を充分に確保して、チャイルドシート１０の安全性を向上させることができる。
【００６１】
また可動爪３６ｍ，３６ｎをバー２１ではなく子供用座席本体１１に設けることから、バー２１が複雑な構造とならず、コスト上有利である。
【００６２】
また図１６および図１８に示すように、可動爪と係合する受け入れ孔２９の前方縁２９ｆは、可動爪の前方垂直面３６ｉと当接することから、バー２１の引き出しを禁止することができる。したがってバー２１は不用意に引き出されることがなく、チャイルドシート１０の安全性を確保することができる。
【００６３】
また本実施形態によれば複数の受け入れ孔２９は、隣り合う受け入れ孔２９，２９同士が所定間隔Ｔ１となるよう等間隔で配置され、可動爪３６ｍ，３６ｎは子供用座席本体１１に少なくとも２個設けられ、複数の可動爪３６ｍ，３６ｎは受け入れ孔２９の所定間隔Ｔ１とは異なる間隔Ｔ２で、バー２１の長手方向に離隔して配置される。このように受け入れ孔２９の間隔Ｔ１と可動爪３６ｍ，３６ｎの間隔Ｔ２が異なることから、バー２１を押し込むと複数の可動爪のうちいずれかが交互に受け入れ孔２９に係合する。このためバーの突出長をきめ細かく調整することができる。
【００６４】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【産業上の利用可能性】
【００６５】
この発明になるＩＳＯＦＩＸチャイルドシートは、育児器具において有利に利用される。
【符号の説明】
【００６６】
１０  チャイルドシート、      １１  子供用座席本体、      １２  シート部、
１３  ベース部、      １３ｂ  背面、      ２１  バー、      ２２  中央領域、
２３  後端部、      ２５  アンカーロック爪、      ２５ａ  アーム部、      
２５ｆ  フック、      ２５ｔ  当接部、      ２６  枢軸、      ２７  ばね、  
２８  貫通孔、      ２９  受け入れ孔、      ２９ｆ  前方縁、      
２９ｒ  後方縁、      ３１  第１ロック部材、      
３１ｓ  外側端、      ３１ｔ  内側端、      ３２  ばね、      
３３  第１ロック解除部材、      ３６  爪部材、      ３６ｈ  長孔、      
３６ｉ  前方垂直面、      ３６ｊ  後方斜面、      ３６ｍ，３６ｎ  可動爪、  
３７  ばね、      ４１  ブロック、      ４１ｇ  ガイド、      
４１ｒ  室、      ４２  操作部材、      ４２ｐ  ピン、      
４３  ケース、      １０１  アンカー、      １０２  大人用座席。
【図１】
0006663730.tif 000002
【図２】
0006663730.tif 000003
【図３】
0006663730.tif 000004
【図４】
0006663730.tif 000005
【図５】
0006663730.tif 000006
【図６】
0006663730.tif 000007
【図７】
0006663730.tif 000008
【図８】
0006663730.tif 000009
【図９】
0006663730.tif 000010
【図１０】
0006663730.tif 000011
【図１１】
0006663730.tif 000012
【図１２】
0006663730.tif 000013
【図１３】
0006663730.tif 000014
【図１４】
0006663730.tif 000015
【図１５】
0006663730.tif 000016
【図１６】
0006663730.tif 000017
【図１７】
0006663730.tif 000018
【図１８】
0006663730.tif 000019
【図１９】
0006663730.tif 000020
【図２０】
0006663730.tif 000021